(57)【特許請求の範囲】
【請求項１】
種々異なる優先度を有する複数の情報を表示フィールド（１）に表示する方法であって、
高表示優先度の情報（３）を、少なくともシンボル（４）の形態で、所定の状態の発生した時点から表示フィールド（１）に表示する形式の方法において、
前記シンボル（４）を、操作者による少なくとも１つの入力手段の少なくとも１つの操作に依存して縮小表示し、
前記シンボルを、操作者による少なくとも１つの入力手段の少なくとも１つの別の操作に依存して、前記シンボルの元の大きさで表示し、
所定の状態の発生時にシンボル（４）を、文字により与えられた状態記述の形態で内容として表示し、
操作者による相応の選択の際に前記シンボル（４）の形状を所定の状態に適合する、ことを特徴とする複数の情報の表示方法。
【請求項２】
シンボル（４）を、所定の状態が再び取り除かれるまで表示する、請求項１記載の複数の情報の表示方法。
【請求項３】
操作に依存してシンボルの形状を変更する、請求項１または２記載の複数の情報の表示方法。
【請求項４】
シンボル（４）は文字を含み、
操作に依存してシンボルの文字テキストを変更する、請求項１から３までのいずれか１項記載の複数の情報の表示方法。
【請求項５】
高表示優先度の情報（３）が複数あるとき、それぞれのシンボル（４）を少なくとも１つの別のシンボル（５）と、操作に依存して置換し、該別のシンボルは存在する高表示優先度の情報の数を表す、請求項１または２記載の複数の情報の表示方法。
【請求項６】
シンボル（４）の変更に加えて、低表示優先度の別の情報（７）の表示形態も変更する、請求項１から５までのいずれか１項記載の複数の情報の表示方法。
【請求項７】
操作者に相応の選択メニュー（６）を表示することによって、シンボル（４）の変更を選択できるようにした、請求項１から６までのいずれか１項記載の複数の情報の表示方法。
【請求項８】
低表示優先度の別の情報（７）の表示を、所定の状態の発生時に表示フィールド（１）で変化させ、有利には縮小して表示するか、または少なくとも一時的に表示しないようにする、請求項１から７までのいずれか１項記載の複数の情報の表示方法。
【発明の詳細な説明】
従来の技術
本発明は、種々異なる表示優先度を有する複数の情報を表示フィールドに表示する方法に関する。すでに自動車製造分野から次のような表示装置が公知である。すなわち、例えば液晶表示の形態の電子表示部を有する表示装置が公知である。この表示部は一般的に使用することができ、種々の車両固有データについての情報を運転者に対して表示するために用いられる。さらに、自動車の状態に関連するエラーが発生したときに運転者に相応の情報を表示装置で指示することが公知である。例えば、タンク充填状態が所定の限界値を下回るときに警報ランプを表示フィールドに点灯させることが公知である。警報ランプは、タンク内容物が所定の限界値以上に充填されると再び消灯される。
発明の利点
請求項１の構成を有する本発明の複数の情報の表示方法は、表示フィールドに表示される情報が少なくとも１つの入力手段の操作に依存して変更できるという利点を有し、このことによって表示された情報をさらに、操作者によって選択可能な形態で表示することができる。入力手段の操作はその他にフィードバックとして記憶手段で用いることができ、操作者は相応の情報を得、読むことができる。
従属請求項に記載された手段によって、本発明の複数の情報の表示方法の有利な改善が可能である。
所定の状態がなくなるまでシンボルが表示されるようにすると、操作者には所定の状態にまだ注意すべきであることが喚起される。
シンボルの大きさおよび／またはシンボルの形状を変化させることにより、情報の可変表示が可能である。
シンボルを文字によって構成することにより、操作者に平文情報を与えることができ、このことは所属の情報内容を直ちに識別することを可能にする。
シンボルをまず比較的に大きなシンボルよって、および／または文字形態での状態記述によって表示し、このシンボルを操作者が相応に選択して初めて縮小するか、および／または状態に適合されると有利である。なぜならこのことによって、シンボルの最初の表示が操作者の全注意を引きつけ、情報の明瞭で良好な識別が可能になるからである。次に入力手段の操作によって初めてシンボルが縮小表示される。というのは、操作者が情報の内容をすでに知ったからである。さらにこのことによって、重要な情報の表示後に、すなわち表示優先度の高い情報の表示後に、表示フィールドを表示優先度の低い他の情報の表示するために再び使用することができる。
シンボルを、表示優先度の高い情報がいくつあるかを示す少なくとも１つの別のシンボルによって置換すれば、表示優先度の高い複数の情報を一回表示した後には別のシンボルに変換することができる。この場合操作者は、所定の状態についていくつの情報が表示されているかという情報を得ることができる。
シンボルが少なくとも１つの入力手段の操作によって再び不変状態で表示されるならば、操作者は簡単に情報を、新たに詳細な表示形態で画面に呼び出すことができる。
表示優先度の低い別の情報の表示形態を変更することは、表示優先度の高い情報に並んで別の情報も表示すべき場合には有利である。例えば、表示優先度の高い情報に対するシンボルの大きさが大きい場合には表示優先度の低い情報を縮小表示し、反対に表示優先度の高い情報に対するシンボルが縮小されると、表示優先度の低い情報を拡大して表示する。
選択メニューを提示することによって操作者にはどの形式のシンボルを変更すべきが選択が任される。このことによって表示方法の柔軟性という利点が得られる。
表示優先度の低い他の情報を状態の発生時に変化させる、例えば縮小するか、または少なくとも一時的に表示しないようにすれば、表示優先度の高い情報を表示するためのシンボルを特に大きく、これにより特に目立たせて啓発的に構成することができる。このことにより表示方法の操作親和性が向上する。
図面
本発明の実施例が図面に示されており、以下詳細に説明する。
図１ａは選択メニューとシンボルを有する表示フィールド、
図１ｂは別のシンボルを有する表示フィールド、
図２は本発明の表示方法に対するフローチャートを示す。
実施例の説明
図１ａには表示フィールド１が示されている。この表示フィールドにはシンボル４と選択メニュー６が示されている。シンボル４は比較的大きな大きさを有し、計量給油器の画像表示と文字からなる。文字は平文で画像表示と共に表示優先度の高い情報３を示す。選択メニュー６は３つの個別フィールドを有する。フィールド↓はシンボル４を縮小するための、別のフィールドｃはシンボル４をカウンタに変換するための、第３のフィールドｓはシンボル４を計量給油器の画像表示だけに低減するためのものであり、それぞれ選択できる。
図示しない入力手段を用いて操作者は選択メニュー６の３つのフィールドの１つを選択することができる。入力手段の操作に応じ、これに基づいてシンボル４を変更することができる。例えばシンボル４を縮小モードの選択に基づき縮小された形状で表示フィールド１に表示することができる。同じように、表示された情報内容のシンボル４を低減することができる。この場合、表示フィールド１の平文表示が消去される。第３の変形実施例が図１ｂに示されている。ここではカウンタへの変換が選択されている。これについては図１ｂに基づいて詳細に説明する。
図１ｂでは、表示フィールド１に別のシンボル５と、表示優先度の低い複数の情報７が示されている。選択メニュー６でカウンタ機能を有するフィールドｃを選択することにより、図１ａのシンボル４が表示フィールド１から消去され、別のシンボル５と置換される。別のシンボル５はカウンタの形状に構成されており、このカウンタは平文部分と文字部分を有する。ここでは選択メニュー６のフィールドｃの選択によって入力された、シンボル４の表示フィールド１からの各消去によって計数状態はカウントアップされる。このことによりシンボル４は表示フィールド１から消去され、別のシンボル５によって置換され、表示フィールド１の残りの面領域を表示優先度の低い情報７に対して使用することができる。例えば図１ｂにはこのような表示優先度の低い情報として、走行距離、時計時間等に対するデジタルカウンタ、並びにアーム指示と走行方向指示が表示されている。
表示優先度の種々異なる複数の情報を表示するための方法の経過を図２にフローチャートに基づいて詳細に説明する。
本発明の方法は、複数の情報を選択されたリスト（ＡＬ）およびサイズリスト（ＧＬ）に基づいて表示することから開始する。このことはフィールド１０により示されており、このフィールドは方法開始をマークする。選択リストは指示すべきすべての情報の、優先度すなわち、操作者に対する重要度に従った順序を含んでいる。表示面１の制限された大きさに相応して、通常は表示可能なすべての情報が表示されるのではなく、所定の最小優先度を越える情報だけが表示される。サイズリストにはさらに、どの大きさで情報をそれぞれ表示フィールド１に表示すべきかがファイルされている。本発明の方法はさらに問い合わせ１１に達する。この問い合わせでは、優先度の高い情報３（ＨＰＩ？）が存在するか否かが検査される。存在の識別は例えばセンサによる順番問い合わせにより行うことができる。このセンサは状態の測定を行い、所定の状態の発生時には高優先度の所属の情報３を、本発明を実施する制御装置に引き渡す。高優先度のこのような情報３が存在する場合には、この情報が選択リストとサイズリストに登録される。ここでこの高優先度の情報３はまず大きなサイズに割り当てられる。これにより操作者は明瞭に情報を識別することができ、十分に情報を得ることができる。このために対抗措置として、優先度の低い別の表示すべき情報７の大きさがサイズリストで減少される。このことは、優先度の低い他の情報７をさらに表示させるために行う。しかし新たに表示された高優先度の情報３の重要度が勘案され、これは大きさでは他の優先度の低い情報７に対して目立つようにされる。選択リストとサイズリストのこの変更の後、表示すべきすべての情報の新たな表示１３が選択リストとサイズリストに基づいて行われる。
引き続いて、操作者には例えば選択メニューによって図１ａと同じような手段が提供される。入力素子の操作によってカウンタが作動される１８。これに続く問い合わせ１９で、相応の入力手段がカウンタの作動のために操作されたか否かが検出される。カウンタの作動が所望される場合には、次のステップ２０で高優先度の情報３が選択リストから消去され、カウンタリストＣＬに書き込まれる（ＡＬ→ＨＰＩ→ＣＬ）。さらに次のステップ２１で、カウンタ変数Ｚがカウントアップされ、カウンタ自体が選択リストに登録される（Ｚ：Ｚ＋１，Ｚ→ＡＬ）。その後、本発明の方法は再び出発点１０に分岐する。すなわち、情報の表示が選択リストとサイズリストに基づいて行われる。
高優先度の情報３が発生しているか否か（ＨＰＩ？）という問い合わせ１１で、そのような情報が検出されなければ、方法ステップは別の問い合わせ１４に分岐する。この問い合わせでは、高優先度の少なくとも１つの情報３が選択リストに存在するか否かが問い合わされる（ＨＰＩ∈ＡＬ？）。すなわち、高優先度３の情報がちょうど表示されているか否かが問い合わされる。このような場合には、方法ステップは再び、カウンタを作動する手段の提供１８に分岐する。これに対して、高優先度の情報３が選択リストになければ、高優先度の情報３も表示されず、所属のカウンタを提供する必要もない。従って方法ステップはこの場合、再びその出発点１０に戻る。
操作者によって、カウンタを表示すべきか否かという問い合わせ１９で、カウンタが所望されなければ、次のステップ１５で操作者には、入力手段の操作によって高優先度の情報３の表示形状の大きさを変更する手段（Ｇ↑↓）が提供される。後続の問い合わせ１６で、このようなサイズ変更が操作者によって選択されたか否かが検出される（Ｇ↑↓？）。サイズが操作者によって変更されたなら、後続ステップ１７で、入力されたサイズがサイズリストに登録され（Ｇ→ＧＬ）、同時に別の表示すべき低表示優先度の情報７の残りの大きさが反対方向に変更される。選択メニューによって提供されるサイズ変更として、操作者には例えばキータッチにより高優先度の情報３を再び変化しない表示形状にするか、または最大または最小の大きさ、および／または情報内容で表示することができる。しかし無段階、またはステップごとの変化を選択することもできる。
その後、サイズ変更が入力されない場合と同じように、カウンタが作動されたか否かが問い合わされる。これはステップ２２である。カウンタが遮断されていれば、プログラムは方法ステップ開始点１０に戻る。これに対してカウンタが作動されていれば、操作者には提供２３で次の手段が提供される。すなわち、カウンタにより置換され、通常はフェードアウトされた高優先度の情報３を新たに不変形状で、すなわち高優先度の情報３を最初に表示した形状で表示する手段が提供される。次の問い合わせ２４ではそのような表示が選択されたか否かが問い合わされ、選択されていれば方法ステップ２５で高優先度の相応の情報がカウンタリストから消去され、選択リストに書き込まれる（ＣＬ→ＨＰＩ→ＡＬ）。付加的に計数状態のカウントダウン２６が行われる（Ｚ：＝Ｚ−１）。計数状態のカウントダウン２６の後、計数状態がゼロまで低下したか否かの問い合わせが行われる（Ｚ＝０？）。計数状態がゼロであれば、引き続くステップ２８でカウンタが選択リストから消去される（ＡＬ→Ｚ）。計数状態がまだゼロでなければ、カウンタは選択リストにそのまま残る。引き続いて方法ステップはその開始点１０に戻る。これは、高優先度のフェードアウトされた情報の表示が選択されない場合、またはカウンタが作動されていない場合と同じである。
図には、高優先度の情報３を消去する状態が再びすでに除去されているか否かという問い合わせは示されていない。このことは簡単には、高優先度の情報３が所属の問い合わせ１１（ＨＰＩ？）で、状態を通報するセンサによってもはや存在していると識別されないことによって実現される。次にフローチャートでは、高優先度の情報３の消去が行われる。この情報はその間に除去された状態で表示されていた。
本発明の方法によってまた、高優先度の情報３を、この情報の表示を理由付ける状態の無効が存在するまで表示フィールド１に表示することができる。しかし操作者は入力手段の操作によって、例えばキータッチの形態で、高優先度の情報３を表示フィールド１に恒久的に表示する表示形式を選択することができる。例えばその際に、まずそのような情報を、大きなシンボルのそのような状態が発生したときに平文情報により表示し、操作者による入力手段の操作の後、情報を縮小したシンボルの形状で例えば表示フィールド１の縁部に表示することができる。このことにより表示優先度の高い情報３を常時、表示フィールド１に表示し、さらに表示優先度の低い別の情報７を表示フィールド１に表示することができる。このことは例えば、優先度の高い情報３の表示を直ちに行うことが不可能であるか、または所望されない状態が直ちに取り除かれるときに有利である。入力手段の操作はとりわけ、操作者が相応の情報を表示フィールド１で読んだか否かという事実を検出するために同時に利用される。従って入力手段の操作が、表示された高優先度の情報３の受領確認のために記憶手段に記憶されれば、後で記憶手段から読み出すときにどの情報を操作者がどの時点で読んだのか否かを検出することが可能である。操作者が選択することができる変更として、例えばテキスト変更できるようにすることができる。複数のカウンタを別のシンボル５として使用することもできる。これら別のシンボルは、所定の優先度、情報群または他の基準に従って分離された、フェードアウトされた高優先度の情報３の計数を行う。
本発明の方法は有利には、自動車の表示装置に対して使用することができる。記憶手段、例えば自動車データ事故記録器に記憶する際には、保証要求または責任制限を記憶されたデータに基づいて求めることができる。相応の状態が所属の車両に発生したら高優先度の情報３を直接表示することが通常は所望される。このような状態は、重要な構成部材の故障、または車両固有パラメータが上側を上回るかまたは下側限界値を下回ることとすることができる。しかし時間的に制御した表示を行うこともできる。
さらに高優先度の情報３を所定の時間の経過後に自動的に縮小することができる。これは運転者が再び複数の情報を同時に見ることができるようにするためである。高優先度の情報３を周期的に交互に別の情報と交互に表示することもできる。このことは操作者により変更が入力されるまで行われる。
高優先度の情報３を所定の状態がなくなるまで表示することは必須ではない。もちろん、多くの情報を操作者による相応の選択に従って表示から完全に消去することもできる。高優先度の情報３を最初に表示する際には、表示面すべてを使用するのが有利である。従って前に表示されていた別の情報は表示されない。それでもなお、高優先度の情報３により隠された情報を、操作者による変更選択によって再び表示することもできる。
【図１ａ】
0003861128.tif 000002
【図１ｂ】
0003861128.tif 000003
【図２】
0003861128.tif 000004